【手続補正書】
【提出日】平成18年11月2日(2006.11.2)
【手続補正１】
【補正対象書類名】明細書
【補正対象項目名】全文
【補正方法】変更
【補正の内容】
【書類名】      明細書
【発明の名称】  光通信幹線ケーブルおよび補強チューブケーブル
【特許請求の範囲】
【請求項１】  多数個のテープ光心線が収納されたテープスロット型光通信幹線ケーブル本体と、このテープスロット型光通信幹線ケーブル本体のテープ光心線を必要な階の光配線ボックスに配線できるように該テープスロット型光通信幹線ケーブル本体より取り出し、取り出したテープ光心線をそれぞれ補強チューブ、この補強チューブに沿うように配置された少なくとも１本以上のテンションメンバー、このテンションメンバーと前記補強チューブとを覆うシースとからなる補強チューブケーブルの補強チューブに挿入して形成した１本以上の分岐配線ケーブルとからなることを特徴とする光通信幹線ケーブル。
【請求項２】  多数個のテープ光心線が収納されたテープスロット型光通信幹線ケーブル本体と、このテープスロット型光通信幹線ケーブル本体の多数個のテープ光心線を必要な階の光配線ボックスに配線できるように該テープスロット型光通信幹線ケーブル本体より取り出し、取り出したテープ光心線をそれぞれ補強チューブ、この補強チューブに沿うように配置された少なくとも１本以上のテンションメンバー、このテンションメンバーと前記補強チューブとを覆うシースとからなる補強チューブケーブルの補強チューブに挿入して形成した１本以上の分岐配線ケーブルと、少なくとも１個以上のテープ光心線が補強チューブケーブルの補強チューブに挿入された需要変動対応用予備ケーブルとからなることを特徴とする光通信幹線ケーブル。
【請求項３】  少なくとも１個以上のテープ光心線を挿入することができる補強チューブと、この補強チューブに沿うように配置された少なくとも１本以上のテンションメンバーと、このテンションメンバーと前記補強チューブとを覆うシースとからなることを特徴とする補強チューブケーブル。
【発明の詳細な説明】
【０００１】
【発明の属する技術分野】
本発明はオフィスビル等の建物に光通信ケーブルを設置する場合に使用される光通信幹線ケーブルおよび補強チューブケーブルに関する。
【０００２】
【従来の技術】
従来、オフィスビル等の建物には地下に設けた外部からの光通信幹線ケーブルに接続される構内光キャビネットＰＴに接続された光通信幹線ケーブルを所定の階に設置した構内光キャビネットＰＤに融着またはコネクター等により接続するとともに、該構内キャビネットＰＤよりその階および上下階に光ケーブルを用いてそれぞれの階に設置された回線接続装置に接続している。
【０００３】
【発明が解決しようとする課題】
従来のオフィスビル等の建物への光通信ケーブルの配線方法では、光通信幹線ケーブルで所定の階に設けた構内光キャビネットＰＤに接続した後、光ケーブルを用いてその階および上下階に設置された回線接続装置に接続するため、現場での接続作業が大変で、手数がかかるという欠点があった。
また、各階にはあらかじめ設定された通信回線しか配線されていないため、所定の階にだけ需要が集中した場合、その配線のし直し作業が大変で、コスト高になるという欠点があった。
【０００４】
本発明は以上のような従来の欠点に鑑み、現場での接続作業を容易で楽に行なうことができるとともに、各階の需要が変化した場合でも、簡単な作業で短時間に、容易にその対応を行なうことができる光通信幹線ケーブルおよび補強チューブケーブルを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は多数個のテープ光心線が収納されたテープスロット型光通信幹線ケーブル本体と、このテープスロット型光通信幹線ケーブル本体のテープ光心線を必要な階の光配線ボックスに配線できるように該テープスロット型光通信幹線ケーブル本体より取り出し、取り出したテープ光心線をそれぞれ補強チューブ、この補強チューブに沿うように配置された少なくとも１本以上のテンションメンバー、このテンションメンバーと前記補強チューブとを覆うシースとからなる補強チューブケーブルの補強チューブに挿入して形成した１本以上の分岐配線ケーブルとで光通信幹線ケーブルを構成している。
【０００７】
本発明は多数個のテープ光心線が収納されたテープスロット型光通信幹線ケーブル本体と、このテープスロット型光通信幹線ケーブル本体の多数個のテープ光心線を必要な階の光配線ボックスに配線できるように該テープスロット型光通信幹線ケーブル本体より取り出し、取り出したテープ光心線をそれぞれ補強チューブ、この補強チューブに沿うように配置された少なくとも１本以上のテンションメンバー、このテンションメンバーと前記補強チューブとを覆うシースとからなる補強チューブケーブルの補強チューブに挿入して形成した１本以上の分岐配線ケーブルと、少なくとも１個以上のテープ光心線が補強チューブケーブルの補強チューブに挿入された需要変動対応用予備ケーブルとで光通信幹線ケーブルを構成している。
【０００８】
本発明は少なくとも１個以上のテープ光心線を挿入することができる補強チューブと、この補強チューブに沿うように配置された少なくとも１本以上のテンションメンバーと、このテンションメンバーと前記補強チューブとを覆うシースとで補強チューブケーブルを構成している。
【０００９】
【発明の実施の形態】
以下、図面に示す実施の形態により、本発明を詳細に説明する。
【００１０】
図１ないし図６に示す本発明の第１の実施の形態において、１はオフィスビル等の建物２の上部の階より各階の床面に形成された貫通孔３を通過して下部階へ吊り下げ状態で設置される本発明の光通信幹線ケーブルで、この光通信幹線ケーブル１は多数個、本発明の実施の形態では５個のスロット４、４、４、４、４にそれぞれ４個収納された２０個のテープ光心線５が収納されたテープスロット型光通信幹線ケーブル本体６と、このテープスロット型光通信幹線ケーブル本体６の上端部に取付けられた、天井等に取付けられた取付け金具７に取付けられるケーブル吊り具８と、前記テープスロット型光通信幹線ケーブル本体６の少なくとも１個以上、本発明の実施の形態では２個のテープ光心線５、５を除く他の１８個のテープ光心線５を必要な階、本発明の実施の形態では各階の光配線ボックス９、９、９、９、９、９、９、９、９に配線できるように該テープスロット型光通信幹線ケーブル本体６の各階に位置する部位よりそれぞれ２個取り出し、取り出したテープ光心線５、５をそれぞれ補強チューブケーブル１０、１０、１０、１０、１０、１０、１０、１０、１０の補強チューブ１１、１１、１１、１１、１１、１１、１１、１１、１１に挿入し、テープ光心線５、５の取り出し部分をモールドやテープ等での分岐部固定材１３で固定した複数個、本発明の実施の形態では９個の分岐配線ケーブル１２、１２、１２、１２、１２、１２、１２、１２、１２と、この９個の分岐配線ケーブル１２、１２、１２、１２、１２、１２、１２、１２、１２に使用されていない２個のテープ光心線５、５を前記テープスロット型光通信幹線ケーブル本体６の下部部位より取り出し、取り出したテープ光心線５、５を補強チューブケーブル１０の補強チューブ１１に挿入して、テープ光心線５、５の取り出し部分をモールドやテープ等の分岐固定部材１３で固定して、該テープスロット型光通信幹線ケーブル本体６にテープ１４等によって沿うように固定した需要変動対応用予備ケーブル１５とで構成されている。
【００１１】
前記補強チューブケーブル１０、１０、１０、１０、１０、１０、１０、１０、１０、１０は図６に示すように、複数個のテープ光心線５が挿入される断面長方形筒状の補強チューブ１１と、この補強チューブ１１の両側部に沿うように配置された２個のテンションメンバー１６、１６と、この２個のテンションメンバー１６、１６と前記補強チューブ１１とを両側部に切り裂き用の切欠部１７、１７が形成された、輪郭が楕円形状となるように覆うシース１８とで構成されている。
【００１２】
前記各階に配線される９個の分岐配線ケーブル１２、１２、１２、１２、１２、１２、１２、１２、１２は各階の光配線ボックス９、９、９、９、９、９、９、９、９に接続される長さに形成されるとともに、先端部には光配線ボックス９、９、９、９、９、９、９、９、９のコネクター１９に接続されるコネクター２０が取付けられている。
【００１３】
上記構成の光通信幹線ケーブル１は、工場で配線する建物２に使用できるように製造され、現場に運んで図１に示すように、天井等に取付けられた取付け金具７にケーブル吊り具８を取付け、各階の床面に形成された貫通孔３をそれぞれ通過させて吊り下げ状態とする。
しかる後、光通信幹線ケーブル１の下端部の１８個のテープ光心線５を外部からの外部光通信幹線ケーブル２１が接続された構内光キャビネット２２に接続するとともに、各階の分岐配線ケーブル１２、１２、１２、１２、１２、１２、１２、１２、１２を各階に設置された光配線ボックス９、９、９、９、９、９、９、９、９に接続する。
また、各階の床面に形成した貫通孔３もそれぞれスラブポットを用いて耐火充填材を充填して閉塞したり、コンクリートで埋め戻し等によって閉塞する。
【００１４】
需要変動が生じた場合、需要変動対応用予備ケーブル１５の補強チューブケーブル１０を必要な場所で切断して、補強チューブ１１内のテープ光心線５、５を引き出して使用する。
この場合、補強チューブケーブル１０を切断するだけでよく、貫通孔３を開放したり、閉塞したりする無駄な作業を行なわなくてもよい。
【００１５】
【発明の異なる実施の形態】
次に、図７ないし図１８に示す本発明の異なる実施の形態につき説明する。なお、これらの本発明の異なる実施の形態の説明に当って、前記本発明の第１の実施の形態と同一構成部分には同一符号を付して重複する説明を省略する。
【００１６】
図７ないし図９に示す本発明の第２の実施の形態において、前記本発明の第１の実施の形態と主に異なる点は、テープスロット型光通信幹線ケーブル本体６の任意の部位、本発明の実施の形態ではほぼ中央部位よりテープ光心線５、５を取り出した需要変動対応用予備ケーブル１５Ａを形成した点で、このように形成した光通信幹線ケーブル１Ａにしても、前記本発明の第１の実施の形態と同様な作用効果が得られる。
【００１７】
図１０ないし図１２に示す本発明の第３の実施の形態において、前記本発明の第１の実施の形態と主に異なる点は、テープスロット型光通信幹線ケーブル本体６の多数個のテープ光心線５を各階にそれぞれ配線できるように複数個の分岐配線ケーブル１２に用いるとともに、テープスロット型光通信幹線ケーブル本体６に複数個のテープ光心線５が挿入された補強チューブケーブル１０をテープ１４等で沿うように固定した需要変動対応用予備ケーブル１５Ｂを設けた点で、このように構成した光通信幹線ケーブル１Ｂにしても、前記本発明の第１の実施の形態と同様な作用効果が得られる。
【００１８】
図１３ないし図１５に示す本発明の第４の実施の形態において、前記本発明の第１の実施の形態と主に異なる点は、円筒形状の補強チューブ１１Ａを使用した補強チューブケーブル１０Ａを用いて複数個の分岐配線ケーブル１２Ａ、１２Ａ、１２Ａ、１２Ａ、１２Ａ、１２Ａ、１２Ａ、１２Ａ、１２Ａと、需要変動対応用予備ケーブル１５Ｃとを形成した点で、このように形成した光通信幹線ケーブル１Ｃにしても、前記本発明の第１の形態と同様な作用効果が得られる。
【００１９】
図１６ないし図１８に示す本発明の第５の実施の形態において、前記本発明の第１の実施の形態と主に異なる点は、中央部に配置したテンションメンバー１６の両側部に円筒形状の補強チューブ１１Ａ、１１Ａを使用した補強チューブケーブル１０Ｂを用いて需要変動対応用予備ケーブル１５Ｄを形成した点で、このように形成した光通信幹線ケーブル１Ｄにしても、前記本発明の第１の形態と同様な作用効果が得られる。
【００２０】
【発明の効果】
以上の説明から明らかなように、本発明にあっては次に列挙する効果が得られる。
【００２１】
（１）多数個のテープ光心線が収納されたテープスロット型光通信幹線ケーブル本体と、このテープスロット型光通信幹線ケーブル本体のテープ光心線を必要な階の光配線ボックスに配線できるように該テープスロット型光通信幹線ケーブル本体より取り出し、取り出したテープ光心線をそれぞれ補強チューブ、この補強チューブに沿うように配置された少なくとも１本以上のテンションメンバー、このテンションメンバーと前記補強チューブとを覆うシースとからなる補強チューブケーブルの補強チューブに挿入して形成した１本以上の分岐配線ケーブルとで構成されているので、１本以上の分岐配線ケーブルの分岐部をスリムに形成することができるとともに、該１本以上の分岐配線ケーブルのテープ光心線を補強チューブケーブルで損傷しないように確実に保護することができる。
したがって、楽にかつテープ光心線を損傷させることなく、建物に設置することができる。
【００２２】
（２）前記（１）によって、テープスロット型光通信配線ケーブル本体のテープ光心線を必要な階に設けた光配線ボックスに補強チューブケーブルで覆って直接配線することができる。
したがって、配線工事を短時間に行なうことができるとともに、接続が直接的に行なえるので、配線不良を効率よく防止することができ、配線工事の信頼性の向上を図ることができる。
【００２３】
（３）請求項２も前記（１）（２）と同様な効果が得られるとともに、需要が変動した場合には需要変動対応用予備ケーブルを用いて対応することができる。
したがって、従来のように各階の床面の貫通孔を開放して配線作業を行なうような大変な作業が不要で、需要変動対応用予備ケーブルの補強チューブケーブルを切断して内部のテープ光心線を引き出して接続するだけでよく、短時間に楽な作業で行なうことができる。
【００２４】
（４）請求項３はテープ光心線を容易に安全に保護することができる。
【図面の簡単な説明】
【図１】本発明の第１の実施の形態の使用状態の説明図。
【図２】本発明の第１の実施の形態の一部中間省略した正面図。
【図３】図２の３−３線に沿う拡大断面図。
【図４】本発明の第１の実施の形態の分岐部の説明図。
【図５】図３の５−５線に沿う拡大断面図。
【図６】本発明の第１の実施の形態の補強チューブケーブルの説明図。
【図７】本発明の第２の実施の形態の使用状態の説明図。
【図８】本発明の第２の実施の形態の一部中間省略した正面図。
【図９】本発明の第２の実施の形態の分岐部の説明図。
【図１０】本発明の第３の実施の形態の使用状態の説明図。
【図１１】本発明の第３の実施の形態の一部中間省略した正面図。
【図１２】本発明の第３の実施の形態の要部説明図。
【図１３】本発明の第４の実施の形態の使用状態の説明図。
【図１４】本発明の第４の実施の形態の一部中間省略した正面図。
【図１５】本発明の第４の実施の形態の補強チューブケーブルの説明図。
【図１６】本発明の第５の実施の形態の使用状態の説明図。
【図１７】本発明の第５の実施の形態の一部中間省略した正面図。
【図１８】本発明の第５の実施の形態の補強チューブケーブルの説明図。
【符号の説明】
１、１Ａ、１Ｂ、１Ｃ、１Ｄ：光通信幹線ケーブル、
２：建物、             
３：貫通孔、
４：スロット、          ５：テープ光心線、
６：テープスロット型光通信幹線ケーブル本体、
７：取付け金具、        ８：ケーブル吊り具、
９：光配線ボッス、
１０、１０Ａ、１０Ｂ：補強チューブケーブル、
１１、１１Ａ：補強チューブ、
１２：分岐配線ケーブル、１３：分岐部固定材、
１４：テープ、
１５、１５Ａ、１５Ｂ、１５Ｃ、１５Ｄ：需要変動対応用予備ケーブル、
１６：テンションメンバー、
１７：切欠部、          １８：シース、
１９：コネクター、      ２０：コネクター、
２１：外部光通信幹線ケーブル、
２２：構内光キャビネット。